(57)【要約】【課題】イベントの進行を効率化することのできる情報入力表示システム等を提供する【解決手段】情報入力表示システム（１０）は、イベント情報記憶部（１２）に記憶されたイベント情報に応じて表示装置（３）を制御する制御装置（２）を備える。制御装置（２）は、イベント情報に含まれるイベント開催日時に合わせて、予め表示装置（３）を起動する。【選択図】図１
2014071639.tif 000002
【特許請求の範囲】
【請求項１】
少なくともイベント開催日時を含むイベント情報を記憶したイベント情報記憶部を有するイベント情報管理装置と、
イベント情報記憶部に記憶されたイベント情報を表示する表示装置と、
イベント情報記憶部に記憶されたイベント情報に応じて表示装置を制御する制御装置とを備え、
上記制御装置は、イベント開催日時に合わせて、予め表示装置を起動することを特徴とする情報入力表示システム。
【請求項２】
上記イベント情報記憶部は、イベント情報として、さらにイベント進行表を記憶しており、
上記制御装置は、イベント進行表に応じたイベント情報を表示装置に表示させることを特徴とする請求項１に記載の情報入力表示システム。
【請求項３】
上記表示装置は、イベント情報を表示する表示部と、表示部の表示状態を制御する制御部とを備え、
上記制御部は、上記表示部への書き込み領域が所定領域を越えた場合、または、上記表示部に編集記号が挿入された場合、上記表示部に新たな書き込み領域を設定することを特徴とする請求項１または２に記載の情報入力表示システム。
【請求項４】
上記表示装置は、イベント情報を表示する表示部と、表示部の表示状態を制御する制御部とを備え、
上記制御部は、表示部上の所定距離よりも離れた場所への編集の有無に基づいて、複数の入力者による編集領域を判別することを特徴とする請求項１〜３のいずれか１項に記載の情報入力表示システム。
【請求項５】
上記表示装置は、イベント情報を表示する表示部と、表示部の表示状態を制御する制御部とを備え、
上記制御部は、ある時間（Ｔ）における表示部の表示内容と、ｔ時間経過（Ｔ＋ｔ）後における表示部の表示内容との比較に基づいて、複数の入力者による編集領域を判別することを特徴とする請求項１〜４のいずれか１項に記載の情報入力表示システム。
【発明の詳細な説明】
【技術分野】
【０００１】
本発明は、イベントの進行を効率化することのできる情報入力表示システム等に関する。
【背景技術】
【０００２】
会議、講演、授業、プレゼンテーションなどの各種イベントでは、タッチパネルを搭載した表示装置（例えば、電子黒板）を使用する機会が増えている。表示装置を使用したイベントは、イベントに関連する資料を表示装置に表示させつつ進行する。従って、イベント参加者は、イベント内容を把握しやすくなる。
【０００３】
特許文献１には、会議において提示されたドキュメントを容易に確認できる会議システムが開示されている。具体的には、特許文献１に記載の会議システムは、会議参加者が閲覧可能な状態で設置された会議用表示装置を備えている。会議用表示装置は、会議において提示されるドキュメント（会議参加者に対する共通の情報）を表示する。
【０００４】
一方、特許文献２には、表示装置に表示される個人情報等の漏洩を防止するための情報処理装置が開示されている。具体的には、特許文献２に記載の情報処理装置は、表示装置に所定の表示サイズでウィンドウを表示してから、所定の時間が経過する間にユーザの操作がなければ、ウィンドウを予め決められた最小の表示サイズに変更して最小化表示する。最小化表示された状態では、最小化前に表示されていた情報は表示されずに、隠蔽される。
【先行技術文献】
【特許文献】
【０００５】
【特許文献１】特開２００７−１７９０８３号公報（２００７年７月１２日公開）
【特許文献２】特開２００５−１２２３１２号公報（２００５年５月１２日公開）
【発明の概要】
【発明が解決しようとする課題】
【０００６】
しかしながら、特許文献１に記載の会議システムは、会議において提示されたドキュメントを容易に確認することを目的としている。また、特許文献２に記載の情報処理装置は、ウィンドウ上に表示されている個人情報の漏洩を防止するとともに、当該ウィンドウを表示して作業を続行する場合であっても、ウィンドウを最小化表示する前の作業状態を記憶しておく必要をなくすことで、作業の煩わしさを解消することを目的としている。
【０００７】
したがって、上記従来の技術は、いずれも、会議等のイベントの進行を効率化する対策は一切取られていない。
【０００８】
本発明は、上記従来の問題点に鑑みなされたものであって、その目的は、イベントの進行を効率化することのできる情報入力表示システム等を提供することにある。
【課題を解決するための手段】
【０００９】
上記の課題を解決するために、本発明の一態様に係る情報入力表示システムは、少なくともイベント開催日時を含むイベント情報を記憶したイベント情報記憶部を有するイベント情報管理装置と、イベント情報記憶部に記憶されたイベント情報を表示する表示装置と、イベント情報記憶部に記憶されたイベント情報に応じて表示装置を制御する制御装置とを備え、上記制御装置は、イベント開催日時に合わせて、予め表示装置を起動することを特徴としている。
【発明の効果】
【００１０】
本発明の一態様によれば、イベントの進行を効率化することのできる情報入力表示システムを提供することができるという効果を奏する。特に、イベントの開始時間に合わせて表示装置が自動的に起動するため、イベントの準備時間を短縮することができるという効果を奏する。
【図面の簡単な説明】
【００１１】
【図１】本発明の実施形態１に係る情報入力表示システムのブロック図である。
【図２】図１の情報入力表示システムの処理を示すフローチャートである。
【図３】本発明の実施形態２に係る情報入力表示システムにおけるイベント情報記憶部に記憶されるイベント進行表の一例である。
【図４】図３のイベント進行表の実施中における表示部の表示状態を示す図である。
【図５】本発明の実施形態２に係る情報入力表示システムの処理を示すフローチャートである。
【図６】本発明の実施形態３に係る情報入力表示システムにおけるスペース確保処理を示す図であり、（ａ）は表示部の短手方向のスペース確保処理、（ｂ）は表示部の長手方向のスペース確保処理を示している。
【図７】本発明の実施形態３に係る情報入力表示システムにおけるスペース確保処理を示す図であり、（ａ）は表示部の短手方向のスペース確保処理、（ｂ）は表示部の長手方向のスペース確保処理を示している。
【図８】本発明の実施形態３に係る情報入力表示システムにおけるスペース確保処理を示す図であり、（ａ）は表示部の短手方向のスペース確保処理、（ｂ）は表示部の長手方向のスペース確保処理を示している。
【図９】本発明の実施形態４に係る情報入力表示システムにおける編集領域の判別処理を示す図である。
【図１０】本発明の実施形態４に係る情報入力表示システムにおける別の編集領域の判別処理を示す図である。
【発明を実施するための形態】
【００１２】
以下、本発明の実施の形態について、詳細に説明する。
【００１３】
〔実施形態１〕
（情報入力表示システム１０の構成）
図１は、本発明の実施形態１に係る情報入力表示システム１０のブロック図である。図１に示すように、情報入力表示システム１０は、イベント情報管理装置１と、制御装置２と、表示装置３とを備えている。情報入力表示システム１０では、制御装置２がイベント情報管理装置１と表示装置３とを連携させる機能を果たしている。
【００１４】
イベント情報管理装置１は、制御装置２に有線また無線にて制御装置２に接続されている。イベント情報管理装置１は、イベントごとのイベント情報を記憶すると共に、各イベント情報を制御装置２に出力する。また、イベント情報管理装置１は、表示装置３で編集（書き込み）されたイベント情報（更新されたイベント情報）も記憶する。
【００１５】
イベント情報管理装置１は、イベント情報入力部１１と、イベント情報記憶部１２と、認証部１３とを備えている。
【００１６】
イベント情報入力部１１は、イベントごとにイベント情報を入力し、イベント情報記憶部１２にそのイベント情報を登録する。イベント情報の入力は、例えば、タッチパネル、キーボード、マウスなどを用いて行う。
【００１７】
イベント情報記憶部１２は、イベント情報入力部１１によって入力されたイベント情報をイベントごとに記憶する。イベント情報記憶部１２は、例えば、ＨＤＤなどの不揮発性の記憶媒体から構成され、この記憶媒体に対してイベント情報データの書き込みおよび読み出しが行われる。
【００１８】
認証部１３は、イベント情報記憶部１２に記憶されたイベント情報を、更新、閲覧、または検索等の処理を希望するユーザが、各処理をする権限があるユーザであるか否かを判定する。ユーザの認証方法は特に限定されるものではない。例えば、そのユーザがイベント出席者に含まれるか否か（イベント出席者リストとの対比）、ユーザ名（ユーザＩＤ）とパスワードの入力、静脈認証などの方法を単独または複数組み合わせて認証することができる。
【００１９】
ここで、情報入力表示システム１０における「イベント」とは、表示装置３にイベント情報を表示させつつ実施する行為を示す。例えば、「イベント」には、会議、講演、授業、プレゼンテーション、宣伝広告、社内掲示板（オフィスサイネージ）などが含まれる。
【００２０】
また、「イベント情報」とは、イベントに関連する情報であり、少なくともイベント開催日時を含んでいる。例えば、「イベント情報」には、開催日時に加えて、開催場所、出席者（参加者）、配布資料（開催案内，議事録，参照データ）、進行予定表などが含まれる。
【００２１】
制御装置２は、イベント情報管理装置１および表示装置３に有線または無線にて接続されている。制御装置２は、イベント情報管理装置１に記憶されているイベント情報に基づいて、表示装置３を制御する。さらに、制御装置２は、表示装置３に表示されたイベント情報が編集（書き込み）された場合、イベント情報を更新する。
【００２２】
具体的には、制御装置２は、時間管理部２１、表示制御部２２、更新処理部２３を備えている。時間管理部２１は、イベント情報に基づきイベント開催日時を管理すると共に、イベント開催に合わせて、予め表示装置３を自動的に起動する。表示制御部２２は、イベント情報に応じた情報を表示装置３に表示させる。更新処理部２３は、表示装置３に表示されたイベント情報が編集された場合、編集されたイベント情報をイベント情報管理装置１に出力する。これにより、イベント情報記憶部１２のイベント情報が更新される。
【００２３】
表示装置３は、制御装置２の指示にしたがって、イベント情報管理装置１に記憶されたイベント情報を表示する。本実施形態では、表示装置３としてタッチパネルを搭載した電子黒板を用いている。なお、表示装置３は、イベント情報に応じた情報（画像や文章など）を表示することができればよい。表示装置３は、床、テーブル、壁面など、室内外を問わず設置することができる。
【００２４】
表示装置３は、表示部３１と、タッチパネル部３２と、制御部３３とを備えている。
【００２５】
表示部３１は、制御部３３に接続され、制御部３３の指示にしたがって、イベント情報が表示される表示パネルである。表示部３１は、例えば、液晶パネル、プラズマディスプレイ、有機ＥＬ（エレクトロルミネセンス）ディスプレイ、ＣＲＴディスプレイなどを用いることができる。
【００２６】
タッチパネル部３２は、制御部３３に接続され、表示部３１の画面上の座標を入力するものである。タッチパネル部３２には、圧力検出方式、抵抗膜方式、静電容量方式、電磁誘導方式等のタッチセンサを用いることができる。操作者が表示部３１の画面上を指またはタッチペン等で触れると、表示部３１の上層に配置されているタッチパネル部３２に指等が触れている特定の場所の押圧力、電気抵抗、電気容量、弾性波のエネルギーなどが変化する。タッチパネル部３２は、それら変化量を検出することによって、指等が触れた画面上の座標を特定する。
【００２７】
タッチパネル部３２には、光学的に指等を検知する光学式のタッチセンサを用いることもできる。光学式のタッチセンサでは、例えば、画像表示光等を利用して表示画面に近接する物体を照らし、その物体において反射された光に基づいて、指等が触れた画面上の座標（Ｘn, Ｙｎ）が特定される。光学式の場合、文字通り物体が表示部３１の画面に接触する場合だけでなく、物体が表示部３１の画面に非接触で、かつ画面から所定の高さまでの空間に存在する場合についても検出できる。
【００２８】
制御部３３は、表示装置３から出力されたイベント情報に基づき、表示部３１にイベント情報を表示する。さらに、制御部３３は、タッチパネル部３２の操作によって編集されたイベント情報を、表示部３１に表示された情報を編集する。制御部３３は、編集されたイベント情報を、表示装置３に出力する。
【００２９】
（情報入力表示システム１０の処理）
図２は、図１の情報入力表示システム１０の処理を示すフローチャートである。
【００３０】
図２に示すように、まず、ユーザがイベント開催前にイベント情報入力部１１を用いてイベントごとのイベント情報を入力する（Ｓ１）。なお、イベント情報として、少なくともイベント開催日時を入力する。
【００３１】
次に、イベント情報記憶部１２が、入力されたイベント情報を、イベントごとに記憶する（Ｓ２）。Ｓ１，Ｓ２の処理により、イベント情報管理装置１へのイベント情報の事前登録が完了する。なお、事前登録されたイベント情報は、登録後に必要に応じて編集してもよい。この場合、編集が必要なイベントを選択した上で、Ｓ１，Ｓ２の処理を再度実施する。イベント情報管理装置１は、このようにして事前登録されたイベント情報を、制御装置２に出力する。
【００３２】
次に、制御装置２の時間管理部２１が、イベント情報に基づいて、イベント開催に合わせて、予め表示装置３を自動的に起動し、表示装置３を待機状態とする（Ｓ３）。続いて、ユーザ（イベント参加者）が表示装置３にログインして、表示装置３をアクティブ状態とし、イベントを開始する（Ｓ４）。表示装置３がアクティブ状態になったときには、表示制御部２２を介して取得したイベント情報に応じた情報が、表示部３１に表示される。例えば、開催案内，議事録，参照データなどのイベントに応じた情報が表示される。
【００３３】
次に、イベント開催中に表示部３１に表示されたイベント情報を編集した場合（Ｓ５でＹＥＳ）、編集されたイベント情報がリアルタイムに表示部３１に表示される。さらに、制御部３３が編集されたイベント情報を制御装置２に出力する。そして、更新処理部２３が編集されたイベント情報をイベント情報管理装置１に出力し、イベント情報記憶部１２のイベント情報が更新され、処理を終了する（Ｓ６）。
【００３４】
一方、イベント開催中に表示部３１に表示されたイベント情報を編集していない場合（Ｓ５でＮｏ）、処理を終了する。
【００３５】
以上のように、情報入力表示システム１０では、制御装置２が、イベント情報記憶部１２に記憶されたイベント情報に応じて表示装置３を制御する。さらに、制御装置２は、イベント情報に含まれるイベント開催日時に合わせて、事前に表示装置３を自動的に起動する。このように、制御装置２が、イベント開催前から開催中にかけて、イベント情報管理装置１と表示装置３とを連携させる処理を自動的に実行する。従って、イベントの進行を効率化することのできる情報入力表示システム１０を提供することができる。特に、イベントの開始時間に合わせて表示装置３が自動的に起動するため、イベントの準備時間を短縮することができる。
【００３６】
すなわち、情報入力表示システム１０では、事前登録されたイベント情報（予定データ）に基づいて、表示装置３を自動的に起動する。さらに、イベント開催中に表示装置３で編集されたイベント情報を、イベント情報管理装置１に自動的に記憶する。これにより、ユーザの煩雑な作業が低減される。従って、イベントの進行を効率化することができる。特に、表示装置３は、イベント開催に合わせて予め起動するため、イベント開催前の準備作業を削減することができる。特に、表示装置３としての電子黒板は、起動時間が長いため、表示装置３として電子黒板を使用する場合には、効率化の効果が高い。
【００３７】
さらに、イベント情報管理装置１（イベント情報記憶部１２）にイベント情報が入力、記憶、更新されるため、イベント開催前、開催後のいずれであっても、イベント情報を検索や閲覧することができる。
【００３８】
〔実施形態２〕
本発明の他の実施形態について、図３〜図５に基づいて説明すれば、以下のとおりである。なお、説明の便宜上、前記実施形態にて説明した部材と同じ機能を有する部材については、同じ符号を付記し、その説明を省略する。また、以下では、実施形態１の情報入力表示システム１０との相違点を中心に説明する。
【００３９】
本実施形態の情報入力表示システムの構成は、実施の形態１の情報入力表示システム１０の構成（図１参照）と略同様である。ただし、本実施形態では、イベント情報管理装置１（イベント情報記憶部１２）が、イベント情報として、イベント開始日時に加えて、イベント進行表を記憶している。
【００４０】
ここで、「イベント進行表」とは、そのイベントでの実施予定項目、各項目に使用する予定時間などが挙げられる。例えば、図３に示されるような「議事進行リスト」が挙げられる。図３は、本発明の実施形態２に係る情報入力表示システムにおけるイベント情報記憶部１２に記憶されるイベント進行表の一例である。図３に示すイベント進行表では、「（１）内容説明、（２）議論、（３）まとめ」の３つの実施予定項目と、各項目の予定時間（それぞれ、２０分、３０分、１０分）とが入力され、イベント情報記憶部１２に記憶されている。なお、イベント進行表には、各項目に使用する資料を入力し、各項目の実施中に、その資料を表示部３１に表示させるようにすることもできる。
【００４１】
図４は、図３の「イベント進行表」の実施中における表示部３１の表示状態を示す図である。すなわち、図４には、図３の「イベント進行表」の「（１）内容説明」の実施中における表示部３１の表示状態が示されている。表示部３１は、イベント中に、現在進行中のイベント項目、現在時刻、予定時間までの残り時間を表示する。例えば、「（１）内容説明」が９時から開始された場合、２分後には図４の上段に示すように、進行中の項目が、「（１）内容説明」、現在時刻は「９：０２」、予定時間（２０分間）までの残り時間は「（１８分）」であることが視認される。また、２０分後には、図４の下段に示すように、進行中の項目が、「（１）内容説明」、現在時刻は「９：２０」、予定時間（２０分間）までの残り時間は「（０分）」であることが視認される。
【００４２】
なお、制御装置２（時間管理部２１，表示制御部２２）は、予定時間が迫っていることを認識させるように、表示装置３を制御してもよい。例えば、図４の場合、予定時間の２分前（９：１８）に、表示部３１の表示を点滅させたり、色を変化させたりしてもよい。これにより、より正確にイベント進行表に沿って、イベントを進行することができる。
【００４３】
図５は、本発明の実施形態２に係る情報入力表示システムの処理を示すフローチャートである。実施形態２に係る情報入力表示システムの処理は、実施の形態１に係る情報入力表示システムの処理（図２参照）と略同一である。すなわち、図５に示す処理（Ｓ１１〜Ｓ１６）は、図２に示す処理（Ｓ１〜Ｓ６）と略同一である。ただし、図５に示す処理は、Ｓ１１およびＳ１２において、イベント情報としてイベント進行表を入力および記憶する点が異なる。
【００４４】
具体的には、図５に示すように、まず、ユーザがイベント開催前にイベント情報入力部１１を用いてイベントごとのイベント情報を入力する（Ｓ１１）。なお、イベント情報として、少なくともイベント開催日時およびイベント進行表を入力する。
【００４５】
次に、イベント情報記憶部１２が、入力されたイベント情報を、イベントごとに記憶する（Ｓ１２）。Ｓ１１，Ｓ１２の処理により、イベント情報管理装置１へのイベント情報の事前登録が完了する。なお、事前登録されたイベント情報は、登録後に必要に応じて編集してもよい。この場合、編集が必要なイベントを選択した上で、Ｓ１１，Ｓ１２の処理を再度実施する。このようにして事前登録されたイベント情報は、制御装置２に出力される。
【００４６】
次に、制御装置２の時間管理部２１が、イベント情報に基づいて、イベント開催に合わせて、予め表示装置３を自動的に起動し、表示装置３を待機状態とする（Ｓ１３）。続いて、ユーザ（イベント参加者）が表示装置３にログインして、表示装置３をアクティブ状態とし、イベントを開始する（Ｓ１４）。表示装置３がアクティブ状態になったときには、表示制御部２２を介して取得したイベント情報に応じた情報が、表示部３１に表示される。例えば、開催案内，議事録，参照データなどのイベントに応じた情報が表示される。さらに、表示部３１には、イベント進行表に沿った情報が表示される。例えば、図４に示すような、現在進行中のイベント項目、現在時刻、予定時間までの残り時間が、イベント中に、表示部３１に表示される。
【００４７】
次に、イベント開催中に表示部３１に表示されたイベント情報を編集した場合（Ｓ１５でＹＥＳ）、編集されたイベント情報がリアルタイムに表示部３１に表示される。さらに、制御部３３が編集されたイベント情報を制御装置２に出力する。そして、更新処理部２３が編集されたイベント情報をイベント情報管理装置１に出力し、イベント情報記憶部１２のイベント情報が更新され、処理を終了する（Ｓ１６）。
【００４８】
一方、イベント開催中に表示部３１に表示されたイベント情報を編集していない場合（Ｓ５でＮｏ）、処理を終了する。
【００４９】
以上のように、本実施形態の情報入力表示システムでは、制御装置２が、イベント情報記憶部１２に記憶されたイベント進行表に応じて表示装置３を制御する。これにより、イベント進行表に沿って、イベントが進行する。従って、イベントの時間管理をしつつ、必要な情報を表示装置３に表示することが可能となる。
【００５０】
〔実施形態３〕
本発明の他の実施形態について、図６〜図８に基づいて説明すれば、以下の通りである。なお、説明の便宜上、前記実施形態１，２にて説明した部材と同じ機能を有する部材については、同じ符号を付記し、その説明を省略する。
【００５１】
例えば、情報入力表示システム１０を会議や授業に利用した場合、入力者（ユーザ）が表示装置３（表示部３１）に編集（書き込み）する機会が多くなる。しかし、表示部３１への書き込みが多くなると、編集（書き込み）するスペースが足りなくなる。
【００５２】
そこで、本実施形態では、イベント中に表示部３１に書き込みスペース（書き込み可能な領域）を確保するように、表示部３１の表示状態を制御する方法について説明する。図６〜図８は、それぞれ、本発明の実施形態３に係る情報入力表示システムにおけるスペース確保処理を示す図であり、（ａ）は表示部３１の短手方向のスペース確保処理、（ｂ）は表示部３１の長手方向のスペース確保処理を示している。なお、各図において、（ａ）の処理と（ｂ）の処理とは略同様であるため、以下では（ａ）についてのみ説明する。
【００５３】
図６は、表示部３１の書き込み情報（ユーザによる編集情報）を自動的にスクロールして、書き込みスペースを確保する処理を示している。図６では、処理前後において、イベント情報の倍率は変わらない。
【００５４】
具体的には、図６の左図に示すように、表示部３１の短手方向の下端部に閾値が設定されている。例えば、閾値は、表示部３１の下方の数行に設定する。そして、制御部３３は、表示部３１への書き込み領域が、この閾値を越えた場合、書き込み領域が不足していると判断する。そして、制御部３３は、書き込み領域が不足している場合、表示部３１に新たな書き込み領域を設定する。具体的には、表示部３１に表示された書き込み領域（図中「＝」「−」）が閾値を越えた場合、その前に書き込まれた書き込み領域を自動的に上方にスクロールする。これにより、図６の右図に破線で示すように、新たなスペース（新たな書き込み領域）が自動的に確保される。
【００５５】
このように処理した場合、入力者による表示部３１への書き込み途中にスクロールする場合がある。そこで、表示部３１の書き込み情報が閾値を越えたことを、線の色の変化または点滅などで入力者に知らせることが好ましい。これにより、書き込み途中に書き込み内容がスクロールされるのを防ぐことができる。なお、図６のような自動スクロール処理は、表示部３１に表示されたペンボタンまたは画面コマンドによる指示、または、書き込みの未入力状態が所定時間以上になったときに行うことが好ましい。
【００５６】
一方、図７は、表示部３１の書き込み情報（ユーザによる編集情報）を自動的に縮小して、書き込みスペースを確保する処理を示している。
【００５７】
具体的には、図７の左図に示すように、表示部３１の短手方向の下端部に閾値が設定されている。例えば、閾値は、表示部３１の下方の数行に設定する。そして、制御部３３は、表示部３１への書き込み領域が、この閾値を越えた場合、書き込み領域が不足していると判断する。そして、制御部３３は、書き込み領域が不足している場合、表示部３１に新たな書き込み領域を設定する。具体的には、表示部３１に表示された書き込み領域（図中「＝」「−」）が閾値を越えた場合、その前に書き込まれた書き込み領域を自動的に縮小表示する。これにより、図７の右図に破線で示すように、新たなスペース（新たな書き込み領域）が自動的に確保される。なお、縮小倍率は特に限定されるものではなく、縦横縮小してもよいし、縦または横のみを縮小してもよい。
【００５８】
一方、図８は、表示部３１の書き込み情報（ユーザによる編集情報）内における編集記号が挿入された位置に、書き込みスペースを確保する処理を示している。
【００５９】
具体的には、図８の左図に示すように、制御部３３は、表示部３１に表示された書き込み領域（図中「＝」「−」）に、入力者によって編集記号が挿入された場合、書き込み領域が不足していると判断する。そして、制御部３３は、書き込み領域が不足している場合、編集記号が挿入された位置に、表示部３１に新たな書き込み領域を設定する。これにより、図８の右図に破線で示すように、新たなスペース（新たな書き込み領域）が自動的に確保されると同時に編集記号は消える。従って、書き込み後であっても、新たに設けられたスペースに新たな書き込みが可能になる。なお、記入済の文字へのアンダーラインの追加など、新たなスペースを確保する必要がない場合もある。この場合、編集記号の挿入後に、ペンボタンや画面コマンドで新たなスペースを確保する処理を実行するようにしてもよい。これにより、必要な場合にのみ、新たなスペースを確保することができる。
【００６０】
以上のように、本実施形態の情報入力表示システムでは、表示装置３の制御部３３が、表示部３１への書き込み領域が表示部３１の所定領域を越えた場合、または、上記表示部３１に編集記号が挿入された場合に、書き込み領域が不足していると判断する。そして、制御部３３は、書き込み領域が不足している場合、表示部３１に新たな書き込み領域を設定する。このように、制御部３３は、書き込み領域の不足を事前に判断し、新たな書き込み領域を自動的に設定する。従って、イベント中に書き込み領域が不足することなく、新たな書き込み領域を確保することができる。
【００６１】
〔実施形態４〕
本発明の他の実施形態について、図９〜図１０に基づいて説明すれば、以下の通りである。なお、説明の便宜上、前記実施形態１〜３にて説明した部材と同じ機能を有する部材については、同じ符号を付記し、その説明を省略する。
【００６２】
例えば、情報入力表示システム１０を会議や授業に利用した場合、入力者（ユーザ）が表示装置３（表示部３１）に編集（書き込み）する機会が多くなる。しかし、複数の入力者がいた場合、どこからどこまでを１人の入力者が記入したのか（一連の記入であるのか）が不明になる。
【００６３】
そこで、本実施形態では、複数の入力者が表示部３１を編集した場合、どのブロックが一連の記入であるのかを判別する方法について説明する。図９および図１０は、本発明の実施形態４に係る情報入力表示システムにおける編集領域の判別処理を示す図である。なお、いずれの処理も、表示装置３の制御部３３が行う。
【００６４】
図９は、表示装置３の表示部３１における編集領域の連続性に基づいて、複数の入力者による編集領域を判別する処理を示している。図９の処理では、制御部３３が、表示部３１上の所定距離よりも離れた場所への編集の有無に基づいて、複数の入力者による編集領域を判別する。
【００６５】
具体的には、図９に示すように、所定距離よりも離れた場所に、同時に書き込み等の編集がされた場合、複数の記入者が編集作業中である、または編集作業を行ったことは明らかである。図９では、表示部３１には、二人の入力者によって書き込まれた、２つの編集領域（波線部）が存在することが分かる。すなわち、一方の編集領域が記入者Ａ、他方の編集領域が記入者Ｂの入力によるものであることが分かる。二人の入力者の書き込みは、同時でなくてもよい。すなわち、制御部３３は、表示部３１への最初の書き込みから所定時間内に所定距離内に書き込みがなされた時には、連続性から同一人物が記入していると推定する。したがって、図９の「○」と「△」ように、所定距離よりも離れた２箇所でほぼ同時に書き込みがなされている場合、制御部３３は、二人の入力者が記入していると推定することができる。ただし、同一の入力者が交互に２箇所へ書き込んでいるケースも有り得る。しかし、連続性から判断する一連の書き込み中に同時に表示部３１の２箇所がタッチされている期間があれば、複数の入力者が同時に記入していることが確定できる。
【００６６】
なお。このような処理において、制御部３３に設定される表示部３１上の所定距離は、任意に設定することができる。例えば、一連の書き込み中に折り返しが生じた場合（図９の実線の○から波線の○への移動）や箇条書きなどの場合、各行の先頭位置が揃うため、横書きの場合はＸ座標値の近い位置が書き出しになる。このような場合、制御部３３は、所定距離を近く設定した上で、時間連続性と改行後の書き出し位置から同一人物の書き込みであるか否かを判別する。つまり、制御部３３は、連続的な記入である場合や、書き出し位置が揃っている場合、同一人物の書き込みであると確定する。
【００６７】
このように、図９の処理によれば、表示装置３の制御部３３が、表示部３１上の所定距離よりも離れた場所への編集なのか、所定距離内の場所への編集なのかを判断することによって、複数の入力者による編集領域を判別する。これにより、複数の入力者が表示部３１に編集（書き込み等）をした場合であっても、表示部３１上のどのブロックが一連の編集領域であるかを判別することができる。
【００６８】
一方、図１０は、表示装置３の表示部３１の表示内容を経時的に比較して、複数の入力者による編集領域を判別する処理を示している。図１０の処理では、制御部３３が、ある時間（Ｔ）における表示部３１の表示内容と、ｔ時間経過（Ｔ＋ｔ）後における表示部３１の表示内容との比較に基づいて、複数の入力者による編集領域を判別する。
【００６９】
具体的には、図１０に示すように、制御部３３は、ある時間Ｔの時点での表示部３１に表示された入力内容（波線部）を保存する。次に、制御部３３は、ｔ時間経過（Ｔ＋ｔ）後における表示部３１に表示された入力内容を保存する。ｔ時間経過（Ｔ＋ｔ）後の表示部３１には、時間Ｔにおける入力内容に加えて、波線部で示す領域に新たな入力内容が表示されている。従って、制御部３３は、ｔ時間経過（Ｔ＋ｔ）後の表示部３１の表示内容と、時間Ｔの表示部３１の表示内容との差分を算出することによって、一連の編集領域を判別することができる。
【００７０】
このように、図１０の処理によれば、表示装置３の制御部３３が、表示部３１の表示内容を経時的に比較して、複数の入力者による編集領域を判別する。これにより、複数の入力者が表示部に編集（書き込み等）をした場合であっても、表示部３１上のどのブロックが一連の編集領域であるかを判別することができる。
【００７１】
なお、図９および図１０の処理のいずれの場合も、一人の入力者が記入したのか、複数人の入力者（同一人物による複数回の入力も含む）が記入したのかを判別することができる。しかし、図９および図１０の処理だけでは、入力者を特定することはできない。例えば、表示部３１に入力する入力ペンのペン信号で入力者を区別する場合、どの入力ペンで入力されたかの区別はできるものの、イベント途中で入力者がペンを持ち変えることも考えられる。このため、入力者の特定までには至らない。また、入力者を識別するための入力ペンの本数よりも、入力者の人数の方が多ければ、原理的に入力者を識別することはできなくなる。
【００７２】
そこで、入力者の特定まで実現するためには、例えば、
（ａ）登録されたイベント情報の参加者名をタッチしてから入力を開始する；
（ｂ）予め参加者に割り当てられた編集記号（例えば、参加者番号、＃１＃２＃３…など）を入力してから表示部３１への入力を開始する；
（ｃ）登録されたイベント情報に参加者名と使用する入力ペンの関係を登録する；
などの処理をすればよい。これにより、一連の編集領域を判別するだけでなく、各編集領域の入力者も特定することができる。
【００７３】
しかしながら、図９および図１０の処理のように、どのブロックが一連の記入であるかが判別できるだけでも有益である。すなわち、図９および図１０の処理の判別結果を制御装置２の更新処理部２３を介して、イベント情報記憶部１２のイベント情報を更新する。例えば、図９および図１０の処理では、判別した各ブロックごとの編集内容をイベント情報として更新することができる。さらに、図１０の処理では、時間ごとの編集内容をイベント情報として更新することができる。従って、特に、イベント終了後の議事録作成や、イベント終了後にイベントの経緯を確認する上で有益である。
【００７４】
〔まとめ〕
本発明の一態様に係る情報入力表示システムは、少なくともイベント開催日時を含むイベント情報を記憶したイベント情報記憶部を有するイベント情報管理装置と、イベント情報記憶部に記憶されたイベント情報を表示する表示装置と、イベント情報記憶部に記憶されたイベント情報に応じて表示装置を制御する制御装置とを備え、上記制御装置は、イベント開催日時に合わせて、予め表示装置を起動する構成である。
【００７５】
上記の構成によれば、制御装置が、イベント情報記憶部に記憶されたイベント情報に応じて表示装置を制御する。さらに、制御装置は、イベント情報に含まれるイベント開催日時に合わせて、事前に表示装置を自動的に起動する。このように、制御装置が、イベント開催前から開催中にかけて、イベント情報管理装置と表示装置とを連携させる処理を自動的に実行する。従って、イベントの進行を効率化することのできる情報入力表示システムを提供することができる。特に、イベントの開始時間に合わせて表示装置が自動的に起動するため、イベントの準備時間を短縮することができる。
【００７６】
さらに、本発明の一態様に係る情報入力表示システムは、上記イベント情報記憶部は、イベント情報として、さらにイベント進行表を記憶しており、上記制御装置は、イベント進行表に応じたイベント情報を表示装置に表示させてもよい。
【００７７】
上記の構成によれば、制御装置が、イベント情報記憶部に記憶されたイベント進行表に応じて表示装置を制御する。これにより、イベント進行表に沿って、イベントが進行する。従って、イベントの時間管理をしつつ、必要な情報を表示装置に表示することが可能となる。
【００７８】
さらに、本発明の一態様に係る情報入力表示システムは、上記表示装置は、イベント情報を表示する表示部と、表示部の表示状態を制御する制御部とを備え、上記制御部は、上記表示部への書き込み領域が所定領域を越えた場合、または、上記表示部に編集記号が挿入された場合、上記表示部に新たな書き込み領域を設定してもよい。
【００７９】
上記の構成によれば、表示装置の制御部が、表示部への書き込み領域が表示部の所定領域を越えた場合、または、上記表示部に編集記号が挿入された場合に、書き込み領域が不足していると判断する。そして、制御部は、書き込み領域が不足している場合、表示部に新たな書き込み領域を設定する。このように、制御部は、書き込み領域の不足を事前に判断し、新たな書き込み領域を自動的に設定する。従って、イベント中に書き込み領域が不足することなく、新たな書き込み領域を確保することができる。
【００８０】
さらに、本発明の一態様に係る情報入力表示システムでは、上記表示装置は、イベント情報を表示する表示部と、表示部の表示状態を制御する制御部とを備え、上記制御部は、表示部上の所定距離よりも離れた場所への編集の有無に基づいて、複数の入力者による編集領域を判別する構成であってもよい。
【００８１】
上記の構成によれば、表示装置の制御部が、表示部上の所定距離よりも離れた場所への編集なのか、所定距離内の場所への編集なのかを判断することによって、複数の入力者による編集領域を判別する。これにより、複数の入力者が表示部に編集（書き込み等）をした場合であっても、表示部上のどのブロックが一連の編集領域であるかを判別することができる。
【００８２】
さらに、本発明の一態様に係る情報入力表示システムでは、上記表示装置は、イベント情報を表示する表示部と、表示部の表示状態を制御する制御部とを備え、上記制御部は、ある時間（Ｔ）における表示部の表示内容と、ｔ時間経過（Ｔ＋ｔ）後における表示部の表示内容との比較に基づいて、複数の入力者による編集領域を判別する構成であってもよい。
【００８３】
上記の構成によれば、表示装置の制御部が、表示部の表示内容を経時的に比較して、複数の入力者による編集領域を判別する。これにより、複数の入力者が表示部に編集（書き込み等）をした場合であっても、表示部上のどのブロックが一連の編集領域であるかを判別することができる。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００８５】
〔ソフトウェアによる実現例〕
最後に、制御装置２の各ブロック特に表示制御部２２および更新処理部２３、および、表示装置３の各ブロック特に制御部３３は、集積回路（ＩＣチップ）上に形成された論理回路によってハードウェア的に実現してもよいし、ＣＰＵ（Central Processing Unit）を用いてソフトウェア的に実現してもよい。
【００８６】
後者の場合、制御装置２および表示装置３は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである制御装置２または表示装置３の制御プログラムのプログラムコード（実行形式プログラム、中間コードプログラム、ソースプログラム）をコンピュータで読み取り可能に記録した記録媒体を、上記制御装置２または表示装置３に供給し、そのコンピュータ（またはＣＰＵやＭＰＵ）が記録媒体に記録されているプログラムコードを読み出し実行することによっても、達成可能である。
【００８７】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００８８】
また、制御装置２および表示装置３を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８９】
本発明は、会議、講演、授業、プレゼンテーションなどの各種イベントに使用する情報入力表示システムとして利用することができる。
【符号の説明】
【００９０】
１  イベント情報管理装置
２  制御装置
３  表示装置
１０  情報入力表示システム
１１  イベント情報入力部
１２  イベント情報記憶部
１３  認証部
２１  時間管理部
２２  表示制御部
２３  更新処理部
３１  表示部
３２  タッチパネル部
３３  制御部
【図１】
2014071639.tif 000003
【図２】
2014071639.tif 000004
【図３】
2014071639.tif 000005
【図４】
2014071639.tif 000006
【図５】
2014071639.tif 000007
【図６】
2014071639.tif 000008
【図７】
2014071639.tif 000009
【図８】
2014071639.tif 000010
【図９】
2014071639.tif 000011
【図１０】
2014071639.tif 000012